(57)【要約】【課題】本発明は、記録容量を減らすことなく、良好に記録・定着することができるホログラフィック記録媒体への記録方法および製造方法ならびにホログラフィック記録媒体およびホログラフィック情報記録装置を提供することを目的とする。【解決手段】仕切部（仕切部材１２）によって複数のセル１３Ａ，１３Ｂ・・・に分割された光記録用の記録層１３を含むホログラフィック記録媒体１への記録方法であって、所定のセル（例えばセル１３Ａ）に情報を記録する記録工程と、前記記録工程の後に、前記所定のセルに光を照射することで前記所定のセルを定着させる定着工程と、を備え、前記記録工程および前記定着工程を、１つのセルに対して行う、または、所定数のセルに対してセルごとに順次行うことを特徴とする。【選択図】図２
2009145462.tif 000002
【特許請求の範囲】
【請求項１】
仕切部によって複数のセルに分割された光記録用の記録層を含むホログラフィック記録媒体への記録方法であって、
所定のセルに情報を記録する記録工程と、
前記記録工程の後に、前記所定のセルに光を照射することで前記所定のセルを定着させる定着工程と、を備え、
前記記録工程および前記定着工程を、１つのセルに対して行う、または、２つ以上のセルに対してセルごとに順次行うことを特徴とするホログラフィック記録媒体への記録方法。
【請求項２】
定着すべき前記セルに対応する開口部を有するマスクを前記ホログラフィック記録媒体に対してセットした後、前記定着を行うことを特徴とする請求項１に記載のホログラフィック記録媒体への記録方法。
【請求項３】
前記定着工程の後に、前記所定のセルに記録した情報を再生し、記録した情報と再生した情報とが一致しているか否かを判断するベリファイ工程をさらに備え、
前記記録工程、前記定着工程および前記ベリファイ工程を、１つのセルに対して行う、または、２つ以上のセルに対してセルごとに順次行うことを特徴とする請求項１または請求項２に記載のホログラフィック記録媒体への記録方法。
【請求項４】
前記記録工程において、１つのセルを１セクタとして情報の記録を行うことを特徴とする請求項１〜請求項３のいずれか１項に記載のホログラフィック記録媒体への記録方法。
【請求項５】
仕切部によって複数のセルに分割された光記録用の記録層を含むホログラフィック記録媒体の製造方法であって、
所定のセルに情報を記録する記録工程と、
前記記録工程の後に、前記所定のセルに光を照射することで前記所定のセルを定着させる定着工程と、を備え、
前記記録工程および前記定着工程を、１つのセルに対して行う、または、２つ以上のセルに対してセルごとに順次行うことを特徴とするホログラフィック記録媒体の製造方法。
【請求項６】
前記定着工程において、定着すべき前記セルに対応する開口部を有するマスクを前記ホログラフィック記録媒体に対してセットした後、前記定着を行うことを特徴とする請求項５に記載のホログラフィック記録媒体の製造方法。
【請求項７】
前記定着工程の後に、前記所定のセルに記録した情報を再生し、記録した情報と再生した情報とが一致しているか否かを判断するベリファイ工程をさらに備え、
前記記録工程、前記定着工程および前記ベリファイ工程を、１つのセルに対して行う、または、２つ以上のセルに対してセルごとに順次行うことを特徴とする請求項５または請求項６に記載のホログラフィック記録媒体の製造方法。
【請求項８】
前記記録工程において、１つのセルを１セクタとして情報の記録を行うことを特徴とする請求項５〜請求項７のいずれか１項に記載のホログラフィック記録媒体の製造方法。
【請求項９】
請求項５〜８のいずれか１項に記載の製造方法によって製造されるホログラフィック記録媒体であって、
少なくとも１つのセルにホログラフィック記録媒体ごとに固有の識別情報が記録され、当該セルが定着されていることを特徴とするホログラフィック記録媒体。
【請求項１０】
請求項５〜８のいずれか１項に記載の製造方法によって製造されるホログラフィック記録媒体であって、
前記複数のセルの一部または全部に情報が記録され、当該セルが定着されていることを特徴とするホログラフィック記録媒体。
【請求項１１】
仕切部によって複数のセルに分割された光記録用の記録層を含むホログラフィック記録媒体に対して情報の記録を行うホログラフィック情報記録装置であって、
光を出射する光源と、
前記光源からの光に情報を入力する情報入力手段と、
前記情報入力手段を通った光の照射位置を所定のセルに位置決めする位置決め機構と、
前記光源、前記情報入力手段および前記位置決め機構を制御して所定のセルに情報の記録を行った後、前記情報入力手段による情報入力を停止することで、前記光源からの光によって前記所定のセルの定着を行う制御装置と、を備えたことを特徴とするホログラフィック情報記録装置。
【請求項１２】
仕切部によって複数のセルに分割された光記録用の記録層を含むホログラフィック記録媒体に対して情報の記録を行うホログラフィック情報記録装置であって、
情報記録用の記録光を出射する記録用光源と、
前記記録光に情報を入力する情報入力手段と、
前記情報入力手段を通った記録光の照射位置を所定のセルに位置決めする位置決め機構と、
定着用の定着光を前記所定のセルに対して照射する定着用光源と、
前記光源、前記情報入力手段および前記位置決め機構を制御して所定のセルに情報の記録を行った後に、前記定着用光源を作動させて前記所定のセルの定着を行う制御装置と、を備えたことを特徴とするホログラフィック情報記録装置。
【請求項１３】
定着すべき前記セルに対応する開口部を有し、前記位置決め機構によって前記開口部が前記所定のセルに位置決めされるマスクをさらに備えたことを特徴とする請求項１１または請求項１２に記載のホログラフィック情報記録装置。
【請求項１４】
前記所定のセルに記録した情報を読み取る読取装置をさらに備え、
前記制御装置は、前記定着後に前記読取装置によって前記所定のセルに記録した情報を再生し、記録した情報と再生した情報とが一致しているか否かを判断するベリファイ手段を備えていることを特徴とする請求項１１〜請求項１３のいずれか１項に記載のホログラフィック情報記録装置。
【請求項１５】
前記制御装置は、１つのセルを１セクタとして情報の記録を行うように構成されていることを特徴とする請求項１１〜請求項１４のいずれか１項に記載のホログラフィック情報記録装置。
【発明の詳細な説明】
【技術分野】
【０００１】
本発明は、記録媒体中に情報を良好に記録・定着させるためのホログラフィック記録媒体への記録方法および製造方法ならびにホログラフィック記録媒体およびホログラフィック情報記録装置に関する。
【背景技術】
【０００２】
近年、光の干渉を利用してフォトポリマ等の感光性材料で形成されるホログラフィック記録媒体（以下、単に「記録媒体」という。）に膨大なデータを干渉縞として記録し、この干渉縞に読出光を照射することでデータの再生を行う技術（ホログラフィック記録再生技術）の開発が行われてきている。このホログラフィック記録再生技術では、記録媒体中で情報光と参照光を干渉させることで、例えば記録媒体が重合タイプの場合には、記録媒体中のモノマーをポリマーに変化させて干渉縞を記録している。また、再生時においては、参照光と同じ波長および角度で読出光を出射して、対象となる干渉縞に照射することで、干渉縞で回折した読出光が情報光に相当する光となって、データを読み取ることが可能となっている。
【０００３】
ところで、前述したようなホログラフィック記録再生技術においては、通常、記録媒体中に必要な情報を書き込んだ後は、記録媒体に光を照射することで、それ以上光が照射されても反応が進まないようにするといった、いわゆる定着処理が行われている。このような定着処理としては、一般に、記録媒体全体への記録完了後に、記録媒体全体に対して定着用の光（以下、「定着光」ともいう）を照射することで定着を行う方法が知られている。また、この方法とは異なる定着処理として、従来、情報光と参照光とで記録層中の所定領域に干渉縞を形成した後、この所定領域に定着光を照射することで、記録の完了した領域ごとに部分的に定着を行っていく技術も知られている（特許文献１参照）。
【０００４】
【特許文献１】特開平１１−１３３８４３号公報
【発明の開示】
【発明が解決しようとする課題】
【０００５】
しかしながら、記録媒体全体に定着光を照射する技術では、定着光を照射した後は、二度と記録媒体への記録を行うことができないため、記録容量が大幅に少なくなることがあった。また、記録媒体の一部に干渉縞を記録した状態は化学的に不安定な状態になる。そのため、記録媒体の一部への記録が完了した後、定着しない状態で長期間放置すると、その後、記録媒体の残りの部分への記録を完了させ、定着させても、読取エラーが発生することがあった。
【０００６】
これに対し、記録媒体に部分的に定着していく技術では、定着光を照射していない部分については記録が可能であるため記録容量が少なくなることがなく、また、記録媒体の所定領域に干渉縞が形成される度にその領域の定着が行われるため、前述したような長期間放置による読取エラーの問題も解消される。しかし、この技術においても、例えば記録媒体が重合タイプの場合には、定着光を所定領域に部分的に照射することにより、周りのモノマーがその領域に集まってきてしまうため、残りの部分のモノマー濃度が薄くなり、その後の記録を良好に行うことができなくなるおそれがあった。
【０００７】
そこで、本発明は、記録容量を減らすことなく、良好に記録・定着することができるホログラフィック記録媒体への記録方法および製造方法ならびにホログラフィック記録媒体およびホログラフィック情報記録装置を提供することを目的とする。
【課題を解決するための手段】
【０００８】
前記課題を解決する本発明は、仕切部によって複数のセルに分割された光記録用の記録層を含むホログラフィック記録媒体への記録方法であって、所定のセルに情報を記録する記録工程と、前記記録工程の後に、前記所定のセルに光を照射することで前記所定のセルを定着させる定着工程と、を備え、前記記録工程および前記定着工程を、１つのセルに対して行う、または、２つ以上のセルに対してセルごとに順次行うことを特徴とする。
【０００９】
本発明によれば、セルごとに記録・定着を行うので、定着していないその他のセルについては記録が可能であるため、記録容量が少なくなることがない。また、１つのセルに情報を記録する度にそのセルの定着を行うため、前述したような長期間放置による読取エラーの問題も解消される。さらに、所定のセルに定着光を照射しても、セルの隔壁（仕切部）が遮光性であれば、その他のセルに対する定着光による影響を抑止することができるので、その他のセルの状態を初期状態に保つことができ、その後の記録が良好となる。
【００１０】
また、本発明は、定着すべき前記セルに対応する開口部を有するマスクを前記ホログラフィック記録媒体に対してセットした後、前記定着を行うようにしてもよい。
【００１１】
ここで、「セルに対応する開口部」とは、セルと同じ大きさの開口部を意味する他、セルよりも僅かに小さな開口部や、セルよりも仕切部の厚さ以下の量だけ大きな開口部をも意味している。
【００１２】
これによれば、所定のセルに照射する定着光がその周囲のセルに漏れることがマスクによって抑制されるので、周囲のセルの状態をより良好に初期状態に保つことができる。
【００１３】
また、本発明は、前記定着工程の後に、前記所定のセルに記録した情報を再生し、記録した情報と再生した情報とが一致しているか否かを判断するベリファイ工程をさらに備え、前記記録工程、前記定着工程および前記ベリファイ工程を、１つのセルに対して行ってもよいし、２つ以上のセルに対してセルごとに順次行ってもよい。
【００１４】
これによれば、１つのセルに対して記録・定着が完了した後に情報を再生するので、安定して情報を読み出すことができる。そのため、記録直後のベリファイ動作が可能となり、記録の信頼性を高めることができる。
【００１５】
また、本発明は、前記記録工程において、１つのセルを１セクタとして情報の記録を行ってもよい。
【００１６】
これによれば、１つのセルを１セクタとして情報の記録を行うので、ホログラフィック記録媒体に記録すべきデータと、ホログラフィック記録媒体上の記録位置とが、１対１に対応することになる。そのため、システム構成が単純になり、記録データや未記録の残存記録容量の管理が容易となる。
【００１７】
なお、前述した記録方法は、ホログラフィック記録媒体の製造方法において利用することができる。すなわち、本発明に係るホログラフィック記録媒体の製造方法は、仕切部によって複数のセルに分割された光記録用の記録層を含むホログラフィック記録媒体の製造方法であって、所定のセルに情報を記録する記録工程と、前記記録工程の後に、前記所定のセルに光を照射することで前記所定のセルを定着させる定着工程と、を備え、前記記録工程および前記定着工程を、１つのセルに対して行う、または、２つ以上のセルに対してセルごとに順次行うことを特徴とする。
【００１８】
これによれば、前述と同様に、セルごとに記録・定着を行うので、定着していないその他のセルについては記録が可能であるため、記録容量が少なくなることがない。また、１つのセルに情報を記録する度にそのセルの定着を行うため、前述したような長期間放置による読取エラーの問題も解消される。さらに、所定のセルに定着光を照射しても、その他のセルに対する定着光による影響を抑止することができるので、その他のセルの状態を初期状態に保つことができ、その後の記録が良好となる。
【００１９】
なお、前述した製造方法は、所定のホログラフィック情報記録装置を用いて行うことができる。例えば、ホログラフィック情報記録装置として、仕切部によって複数のセルに分割された光記録用の記録層を含むホログラフィック記録媒体に対して情報の記録を行うホログラフィック情報記録装置であって、光を出射する光源と、前記光源からの光に情報を入力する情報入力手段と、前記情報入力手段を通った光の照射位置を所定のセルに位置決めする位置決め機構と、前記光源、前記情報入力手段および前記位置決め機構を制御して所定のセルに情報の記録を行った後、前記情報入力手段による情報入力を停止することで、前記光源からの光によって前記所定のセルの定着を行う制御装置と、を備えるものを採用することができる。
【００２０】
これによれば、情報の記録用の光源を、定着にも利用することができるので、部品点数を減らして、コストを低下させることができる。
【００２１】
また、ホログラフィック情報記録装置としては、仕切部によって複数のセルに分割された光記録用の記録層を含むホログラフィック記録媒体に対して情報の記録を行うホログラフィック情報記録装置であって、情報記録用の記録光を出射する記録用光源と、前記記録光に情報を入力する情報入力手段と、前記情報入力手段を通った記録光の照射位置を所定のセルに位置決めする位置決め機構と、定着用の定着光を前記所定のセルに対して照射する定着用光源と、前記光源、前記情報入力手段および前記位置決め機構を制御して所定のセルに情報の記録を行った後に、前記定着用光源を作動させて前記所定のセルの定着を行う制御装置と、を備えたものを採用することもできる。
【００２２】
これによれば、記録用光源とは別に定着用光源を設けたので、例えば、記録用光源よりも光量が大きな定着用光源を採用した場合には、定着にかかる時間を短縮することができる。
【００２３】
また、本発明に係るホログラフィック記録媒体の製造方法では、前記定着工程において、定着すべき前記セルに対応する開口部を有するマスクを前記ホログラフィック記録媒体に対してセットした後、前記定着を行ってもよい。なお、この製造方法においては、前述のホログラフィック情報記録装置に対して、前記セルに対応する開口部を有し、前記位置決め機構によって前記開口部が前記所定のセルに位置決めされるマスクをさらに設ければよい。
【００２４】
これによれば、所定のセルに照射する定着光がその周囲のセルに漏れることがマスクによって抑制されるので、周囲のセルの状態をより良好に初期状態に保つことができる。
【００２５】
また、本発明に係るホログラフィック記録媒体の製造方法では、前記定着工程の後に、前記所定のセルに記録した情報を再生し、記録した情報と再生した情報とが一致しているか否かを判断するベリファイ工程をさらに備え、前記記録工程、前記定着工程および前記ベリファイ工程を、１つのセルに対して行ってもよいし、または、２つ以上のセルに対してセルごとに順次行ってもよい。なお、この製造方法においては、前述のホログラフィック情報記録装置に対して、前記所定のセルに記録した情報を読み取る読取装置をさらに設け、前記制御装置が、前記定着後に前記読取装置によって前記所定のセルに記録した情報を再生し、記録した情報と再生した情報とが一致しているか否かを判断するベリファイ手段を備えるように構成されればよい。
【００２６】
これによれば、１つのセルに対して記録・定着が完了した後に情報を再生するので、安定して情報を読み出すことができる。そのため、記録直後のベリファイ動作が可能となり、記録の信頼性を高めることができる。
【００２７】
また、本発明に係るホログラフィック記録媒体の製造方法では、前記記録工程において、１つのセルを１セクタとして情報の記録を行ってもよい。なお、この製造方法においては、前述のホログラフィック情報記録装置における前記制御装置が、１つのセルを１セクタとして情報の記録を行うように構成されればよい。
【００２８】
これによれば、１つのセルを１セクタとして情報の記録を行うので、ホログラフィック記録媒体に記録すべきデータと、ホログラフィック記録媒体上の記録位置とが、１対１に対応することになる。そのため、システム構成が単純になり、記録データや未記録の残存記録容量の管理が容易となる。
【００２９】
また、前述したような製造方法によって製造されるホログラフィック記録媒体としては、少なくとも１つのセルに、ホログラフィック記録媒体ごとに固有の識別情報が記録され、当該セルが定着されたものや、前記複数のセルの一部または全部に情報が記録され、当該セルが定着されたものなどが挙げられる。ここで、前述した「固有の識別情報」としては、例えば、製造シリアルナンバー、記録容量、製造年月日などが挙げられる。
【発明の効果】
【００３０】
本発明によれば、記録したセルごとに定着を行うことにより、定着していないその他のセルの状態を初期状態に保つことができるので、記録容量を減らすことなく、良好に記録・定着することができる。
【発明を実施するための最良の形態】
【００３１】
次に、本発明の一実施形態について、適宜図面を参照しながら詳細に説明する。参照する図面において、図１は、本実施形態に係るホログラフィック記録媒体を示す分解斜視図（ａ）と、図１（ａ）のＸ−Ｘ断面図（ｂ）である。
【００３２】
図１（ａ）に示すように、ホログラフィック記録媒体１は、一対の基板１１と、複数の矩形の孔１２ａが形成される仕切部材１２と、仕切部材１２の各孔１２ａ内に形成される記録層１３とを備えて構成されている。
【００３３】
基板１１は、記録層１３の上面および下面を保護する層であり、光を透過させる材料で形成されている。ここで、「光」とは、情報光、参照光、読出光および定着光のいずれかに用いられる光を指す。
【００３４】
なお、基板１１の材料としては、用いる光の波長領域で十分に透明であればよく、例えば、ガラス、セラミックス、樹脂、などが用いられるが、成形性、コストの点から、樹脂が特に好適である。前記樹脂としては、例えば、ポリカーボネート樹脂、アクリル樹脂、エポキシ樹脂、ポリスチレン樹脂、アクリロニトリル−スチレン共重合体、ポリエチレン樹脂、ポリプロピレン樹脂、ポリシクロオレフィン樹脂、シリコーン樹脂、ＡＢＳ樹脂、ウレタン樹脂、などが挙げられる。これらの中でも、成形性、光学特性、コストの点から、ポリカーボネート樹脂、アクリル樹脂、ポリシクロオレフィン樹脂が特に好ましい。
【００３５】
また、基板１１には、機能付与のために種々の加工や処理を行うことが可能である。例えば、反射膜、選択反射膜、反射防止膜、密着向上のための蒸着膜、バリア性向上のための蒸着膜、ギャップ層、フォーカシングサーボ・トラッキングサーボのためのサーボ信号を有する情報層、選択吸収層、選択透過層などを設けることが可能である。ここでいうギャップ層とは、特に基板１１の少なくとも一方に上記に挙げたような機能性層が基板内部に含まれている場合、機能性層から基板界面の間の距離をおくために設けられた透明層のことを指す。また、成形方法としては、例えば、射出成形などを採用することができる。
【００３６】
仕切部材１２は、記録層１３を複数のセルに分割するためのものであり、複数の矩形の孔１２ａが形成されることによって、各セルを仕切るリブ状の仕切部１２ｂが形成されている。そして、この仕切部材１２は、記録・再生・定着に用いる光を遮蔽・吸収可能な材料で形成されている。ここで、光を遮蔽・吸収可能な材料としては、染料や顔料を含有、または、表面にコーティングした樹脂やガラスが挙げられる。
【００３７】
記録層１３は、複数のレーザ光の同時照射（詳しくは、情報光と参照光との干渉）によって反応することで、データを干渉縞として記録するものである。そして、この記録層１３は、仕切部材１２の仕切部１２ｂによって複数のセルに分割されて形成されている。
【００３８】
なお、この記録層１３の材料としては、特に制限はなく、目的に応じて適宜選択することができ、例えば、（１）光照射で重合反応が起こり高分子化するフォトポリマー、（２）フォトリフラクティブ効果（光照射で空間電荷分布が生じて屈折率が変調する）を示すフォトリフラクティブ材料、（３）光照射で分子の異性化が起こり屈折率が変調するフォトクロミック材料、（４）ニオブ酸リチウム、チタン酸バリウム等の無機材料、（５）カルコゲン材料、などが挙げられる。
【００３９】
また、記録層１３は、材料に応じて公知の方法に従って形成することができる。例えば仕切部材１２を接着させた基板１１上に形成するのであれば、蒸着法、塗布法、ＬＢ法、印刷法、転写法などにより好適に形成することができる。
【００４０】
次に、本実施形態に係るホログラフィック情報記録装置ＨＭについて図２を参照して説明する。参照する図面において、図２は本実施形態に係るホログラフィック情報記録装置を示す断面図（ａ）と、ホログラフィック情報記録装置によって記録・定着されるホログラフィック記録媒体を示す平面図（ｂ）である。ここで、図２においては、説明の便宜上、ホログラフィック記録媒体１を大きく示している。
【００４１】
図２（ａ）に示すように、ホログラフィック情報記録装置ＨＭは、光学系２と、光学系２を制御する制御装置３と、光学系２および制御装置３を収容する筐体４と、筐体４に支持部材５を介して固定されるマスク６と、筐体４を２次元的に移動させて位置決めさせる位置決め機構７とを備えている。
【００４２】
光学系２は、レーザ光源２１、第１レンズ２２、第２レンズ２３、情報入力手段の一例としての空間光変調器２４、ハーフミラー２５、第３レンズ２６、ミラー２７、第４レンズ２８および読取装置２９を備えている。
【００４３】
レーザ光源２１は、レーザ光を出射するものであり、制御装置３によって適宜ＯＮ・ＯＦＦされる。
【００４４】
第１レンズ２２は、レーザ光源２１から出射されたレーザ光を拡散させるものであり、レーザ光源２１の下流側（レーザ光の進行方向における下流側）に配置されている。
【００４５】
第２レンズ２３は、第１レンズ２２で拡散されたレーザ光を平行な光束に変換するものであり、第１レンズ２２の下流側に配置されている。
【００４６】
空間光変調器２４は、レーザ光源２１から出射されてくるレーザ光の断面に情報を入力するためのものであり、後述する制御装置３によって適宜制御されることで、記録する情報を画素の配列として表示し、レーザ光がこの画素により遮られることでレーザ光の横断面に情報が入力される。例えば、この空間光変調器２４では、情報の記録時において、レーザ光の中心部に情報を入力することでレーザ光の中央部を情報光として生成し、レーザ光の中心部の外側にあるリング状の部分を参照光として生成する。また、情報の再生時においては、空間光変調器２４は、レーザ光の中心部が当たる部分の全てに画素を表示することでレーザ光の中心部を遮るとともに、レーザ光の外側部分を参照光の形成時と同じ画素パターンとすることで読出光を生成する。さらに、定着時においては、空間光変調器２４は、画素を表示しないことにより、レーザ光をそのまま透過させる。そして、この空間光変調器２４は、第２レンズ２３の下流側に配置される。
【００４７】
ハーフミラー２５は、空間光変調器２４の下流側に配置されており、空間光変調器２４側から出射されてくる情報光および参照光を透過させるとともに、その反対側から戻ってくる再生光を所定の方向（情報光および参照光の光軸方向に対して略直交する方向）へ反射させている。
【００４８】
第３レンズ２６は、ハーフミラー２５を透過してきた情報光および参照光を絞るためのものであり、ハーフミラー２５の下流側に配置されている。
【００４９】
ミラー２７は、第３レンズ２６と透過してきた情報光および参照光をホログラフィック記録媒体１に向けて反射させるものであり、第３レンズ２６の下流側に配置されている。また、このミラー２７は、少なくとも２つの所定の軸回りに回動可能に構成されており、制御装置３によって適宜角度が変えられることで、ホログラフィック記録媒体１内で焦点を結ぶ情報光および参照光の焦点位置（照射位置）をホログラフィック記録媒体１の面方向において移動させている。
【００５０】
第４レンズ２８は、ハーフミラー２５で反射された再生光を絞るものであり、ハーフミラー２５によって反射される再生光の光路上に配置されている。
【００５１】
読取装置２９は、第４レンズ２８の下流側に配置され、第４レンズ２８で絞った再生光を読み取る機能を有している。そして、この読取装置２９で読み取った再生情報は、制御装置３に出力されるようになっている。なお、読取装置２９としては、例えばＣＣＤセンサ、ＣＭＯＳセンサなどを採用することができる。
【００５２】
筐体４は、矩形の箱状に形成されており、その下部には、ミラー２７で反射された情報光および参照光をホログラフィック記録媒体１に照射させるための開口部４１が形成されている。
【００５３】
マスク６は、図２（ｂ）に示すように、矩形の板状に形成されており、その中央部には、筐体４の開口部４１を通ってくる光を透過させるための開口部６１が、１つのセル（例えばセル１３Ａ）と同じ平面形状・大きさとなるように形成されている。そして、このマスク６は、後述する位置決め機構７によって開口部６１が所定のセル（例えばセル１３Ａ）に位置決めされるようになっており、開口部６１が所定のセル１３Ａに合わされた状態において、所定のセル１３Ａの周囲のセル１３Ｂの一部を覆うように構成されている。
【００５４】
位置決め機構７は、ミラー２７で反射された情報光および参照光の照射位置を所定のセル（例えばセル１３Ａ）に位置決めするための機構、より具体的には、前述したマスク６の開口部６１を所定のセルに位置決めするための機構である。この位置決め機構７は、筐体４を前後・左右に移動可能に支持しており、制御装置３によって適宜制御されている。なお、位置決めの方法としては、公知の方法を採用することができ、例えば、仕切部材１２にサーボ信号に相当する凹部を形成しておき、この凹部を光センサで検知することで位置決めを行うようにしてもよい。
【００５５】
制御装置３は、ホログラフィック記録媒体１に対して情報を記録する公知の制御を実行可能となっている。すなわち、制御装置３は、ホログラフィック記録媒体１に記録すべき情報に基づいて空間光変調器２４の画素パターンを適宜制御するとともに、ミラー２７の角度を適宜調整することで、情報光および参照光の照射位置（レーザスポットＬＳ；図２（ｂ）参照）を１つのセル（例えばセル１３Ａ）内で走査して、１つのセル内に情報（干渉縞）を多重に記録する機能を有している。また、制御装置３は、記録時において、１つのセルを１セクタとして情報の記録を行うように構成されている。
【００５６】
ここで、セクタとは、ホログラフィック記録媒体１における物理的な記録域の最小単位をいう。なお、１つのセルを１セクタとして情報の記録を行う方法としては、ハードディスクなどで採用される公知の方法を採用することができる。具体的には、ホログラフィック記録媒体１に記録すべき情報が、１つのセルで記録可能な量である場合には、１つのセルにその情報を記録し、１つのセルで記録不能な量である場合には、２つ以上のセルにその情報を記録する。
【００５７】
また、制御装置３は、１つのセルへの記録が完了した後、空間光変調器２４によるレーザ光への情報入力を停止することで、レーザ光源２１からのレーザ光によって所定のセルの定着を行う機能を有している。さらに、制御装置３は、１つのセルの定着が完了した後に、読取装置２９によって所定のセルに記録した情報を再生し、記録した情報（以下、「記録情報」という）と再生した情報（以下、「再生情報」という）とが一致しているか否かを判断するベリファイ機能を有している。
【００５８】
具体的に、前述したような各機能を実行する制御装置３は、ＣＰＵ、ＲＯＭ、ＲＡＭ、通信機器などの公知のハードウェア（図示せず）を有しており、図３に示すような構成となっている。ここで、図３は、制御装置の構成を示すブロック図であり、図３に示す各ブロックは、前記したハードウェアや、ＲＯＭからプログラムを読み込んだＣＰＵなどを、それぞれ機能的に示したものである。
【００５９】
図３に示すように、制御装置３は、セル選択手段３１、位置決め手段３２、記録手段３３、定着手段３４、ベリファイ手段３５、記録完了判断手段３６および記録装置３７を備えている。
【００６０】
セル選択手段３１は、図示せぬコンピュータなどから出力されてくるホログラフィック記録媒体１に記録すべき情報（以下、「記録予定情報」という）を受け取った際や、後述する記録完了判断手段３６からリトライ信号を受けた際に、所定のセルを選択する機能を有している。具体的に、セル選択手段３１は、前述した記録予定情報またはリトライ信号を受けると、記録装置３７に記録されているセル情報に基づいて未記録状態のセルを選択する。そして、セル選択手段３１は、所定のセルを選択すると、その所定のセルを示すセル信号を位置決め手段３２に出力するとともに、記録予定情報を記録装置３７に記録する。
【００６１】
位置決め手段３２は、セル選択手段３１から出力されてくるセル信号に基づいて、マスク６の開口部６１を所定のセルに位置決めさせる機能を有している。そして、位置決め手段３２は、位置決めが完了すると、そのことを示す完了信号を記録手段３３に出力する。
【００６２】
記録手段３３は、位置決め手段３２から出力されてくる完了信号を受けると、記録装置３７から記録予定情報を読み出し、光学系２を制御することで、読み出した記録予定情報を所定のセルに記録する機能を有している。ここで、記録手段３３は、記録予定情報が１セクタ分の量よりも多い場合には、１セクタ分の量だけ１つのセルに記録する。そして、記録手段３３は、記録が完了すると、そのことを示す完了信号を定着手段３４に出力するとともに、記録した１セクタ分の記録予定情報をベリファイ手段３５に出力する。また、記録手段３３は、記録が完了すると、記録装置３７に記録してあるセル情報のうち今回選択したセルを使用済みの状態に変更する。
【００６３】
定着手段３４は、記録手段３３から出力されてくる完了信号を受けると、光学系２の空間光変調器２４によるレーザ光への情報入力を停止することで、情報が入力されていないレーザ光（定着光）で所定のセルを定着させる機能を有している。具体的に、定着手段３４は、空間光変調器２４の制御以外は、記録時と同様の制御を行っている。すなわち、定着手段３４は、光学系２のミラー２７を適宜回動させることで、定着光を所定のセルに満遍なく走査することで、定着を行う。そして、定着手段３４は、定着が完了すると、そのことを示す完了信号をベリファイ手段３５に出力する。
【００６４】
ベリファイ手段３５は、定着手段３４から出力されてくる完了信号を受けると、光学系２の空間光変調器２４による情報光の生成を停止して、読出光（すなわち参照光）のみの生成を実行させる機能を有している。なお、このように生成される読出光は、所定のセル内に記録された干渉縞に反射されることによって、情報光に対応した再生光となり、この再生光は読取装置２９によって読み取られ、読取装置２９で読み取った信号（再生情報）がベリファイ手段３５に出力される。
【００６５】
また、ベリファイ手段３５は、読取装置２９から出力されてくる再生情報を受けると、その再生情報と、所定のセル内に記録した記録情報（記録手段３３から出力されてくる１セクタ分の記録予定情報）とが一致しているか否かを判断する機能を有している。そして、ベリファイ手段３５は、再生情報と記録情報とが一致した場合には、そのことを示すＯＫ信号と記録情報とを記録完了判断手段３６に出力し、再生情報と記録情報とが一致しなかった場合には、そのことを示すＮＧ情報を記録完了判断手段３６に出力する。
【００６６】
記録完了判断手段３６は、ベリファイ手段３５からＮＧ信号を受けると、セル選択手段３１に対してリトライ信号を出力することで、セル選択手段３１によるセルの選択処理を再実行させる機能を有している。また、記録完了判断手段３６は、ベリファイ手段３５からＯＫ信号を受けると、所定のセル内に記録した記録情報が記録装置３７に記録されている記録予定情報とが一致するか否かを判断することで、全ての記録予定情報の記録が完了したか否かを判断する。
【００６７】
記録完了判断手段３６は、全ての記録予定情報の記録が完了していないと判断すると、セル選択手段３１に対してリトライ信号を出力することで、セル選択手段３１によるセルの選択処理を再実行させる機能を有している。このとき、記録完了判断手段３６は、記録予定情報から記録情報を差し引いた情報を、新たな記録予定情報として記録装置３７に記録させる。また、記録完了判断手段３６は、全ての記録予定情報の記録が完了したと判断すると、位置決め機構７の状態や光学系２の状態を初期状態に戻す。
【００６８】
以上のように構成される制御装置３は、図４に示すフローチャートに基づいて制御を実行する。ここで、図４は、制御装置の動作を示すフローチャートである。
【００６９】
図４に示すように、コンピュータなどから記録予定情報が入力されてくると（ＳＴＡＲＴ）、制御装置３は、まず、セルの選択を行った後（Ｓ１）、選択したセルにマスク６の開口部６１が合うようにホログラフィック情報記録装置ＨＭを位置決めさせる（Ｓ２）。ステップＳ２の後、制御装置３は、選択したセルに対して１セクタ分の情報の記録を実行するとともに（Ｓ３；記録工程）、ホログラフィック情報記録装置ＨＭを動かすことなく、そのセルの定着処理を実行する（Ｓ４；定着工程）。
【００７０】
ステップＳ４の後、制御装置３は、選択したセル内の情報を再生し（Ｓ５；ベリファイ工程）、その再生情報と、セル内に記録した記録情報とが一致するか否かを判断する（Ｓ６；ベリファイ工程）。制御装置３は、ステップＳ６において一致していないと判断すると（Ｎｏ）、ステップＳ１の処理に戻り、一致したと判断すると（Ｙｅｓ）、記録予定情報の記録が全て完了したか否かを判断する（Ｓ７）。
【００７１】
制御装置３は、ステップＳ７において完了していないと判断すると（Ｎｏ）、ステップＳ１の処理に戻り、完了したと判断すると（Ｙｅｓ）、光学系２等を初期状態に戻して（Ｓ８）、このフローによる動作を終了する。
【００７２】
そして、前述した動作は、コンピュータなどから記録予定情報が入力されるたびに実行される。これにより、セルごとに記録・定着・ベリファイが行われて、所定の情報が入力されたホログラフィック記録媒体１が製造されることとなる。
【００７３】
以上によれば、本実施形態において以下のような効果を得ることができる。
記録したセルごと（例えばセル１３Ａ）に定着を行うので、定着していないその他のセル（例えばセル１３Ｂ）については記録が可能であるため、記録容量が少なくなることがない。また、１つのセルに情報を記録した直後にそのセルの定着を行うので、記録から定着まで長期間放置することによって生じる化学反応の進行に起因した読取エラーの問題も解消される。さらに、所定のセル（例えばセル１３Ａ）に定着光を照射しても、仕切部材１２によって、その他のセル（例えばセル１３Ｂ）から所定のセルにモノマーが集まってくることが防止されるので、その他のセルのモノマー濃度を初期状態に保つことができ、その後の記録が良好となる。したがって、本実施形態によれば、記録容量を減らすことなく、良好に記録・定着することができる。
【００７４】
所定のセル（例えばセル１３Ａ）に照射する定着光がその周囲のセル（例えばセル１３Ｂ）に漏れることがマスク６によって抑制されるので、周囲のセルのモノマー濃度をより良好に初期状態に保つことができる。
制御装置３によって空間光変調器２４の画素パターンを変えることで、情報の記録用のレーザ光源２１を定着にも利用することができるので、部品点数を減らして、コストを低下させることができる。
【００７５】
１つのセルに対して記録・定着が完了した後に情報を再生するので、安定して情報を読み出すことができる。そのため、記録直後のベリファイ動作が可能となり、記録の信頼性を高めることができる。ちなみに、仕切部材のないホログラフィック記録媒体においては、記録直後に再生すると、読出光によって記録層が化学反応を起こして劣化するため、記録直後にベリファイを行うことは困難であったが、本実施形態によれば良好なベリファイを実行することができる。
【００７６】
１つのセルを１セクタとして情報の記録を行うので、ホログラフィック記録媒体１に記録すべきデータと、ホログラフィック記録媒体１上の記録位置とが、１対１に対応することになる。そのため、システム構成が単純になり、記録データや未記録の残存記録容量の管理が容易となる。
【００７７】
なお、本発明は前記実施形態に限定されることなく、以下に例示するように様々な形態で利用できる。
前記実施形態では、レーザ光源２１を記録と定着の両方に利用したが、本発明はこれに限定されず、記録用の光源とは別に定着用の光源を設けてもよい。例えば、図５（ａ）および（ｂ）に示すように、記録用のレーザ光源２１とは別に定着用光源８を設けてもよい。ここで、図５は、前記実施形態の一部を変更したものであるため、前記実施形態と同様の構成要素については、同一符号を付し、その説明を省略する。
【００７８】
具体的に、図５（ａ）および（ｂ）に示す形態では、拡散する光を発する定着用光源８を、１つのセル１３Ａの全体を照射可能な位置であって、照射した光がマスク６の外縁よりも内側に収まるような位置に配置している。なお、この場合、制御装置３は、定着工程（図４のステップＳ４）において、記録用のレーザ光源２１をＯＦＦにするとともに、定着用光源８を所定時間だけ発光（作動）させる制御を実行すればよい。これによれば、定着処理において、前記実施形態のように空間光変調器２４の制御やミラー２７の回動制御をしなくても、定着用光源８を明滅させるだけでセル１３Ａ全体を定着することができるので、その制御を容易にすることができる。また、記録用のレーザ光源２１とは別に定着用光源８を設けることにより、レーザ光源２１よりも光量が大きな光源を定着用光源８とすることができるので、定着にかかる時間を短縮することができる。なお、定着用光源８としては、ＬＥＤ（発光ダイオード）などを採用することができる。
【００７９】
また、この図５に示す形態のように、ハーフミラー２５、第４レンズ２８および読取装置２９は無くてもよい。すなわち、ベリファイを行うことなく、セルごとに記録・定着のみを行うようにしてもよい。
【００８０】
前記実施形態では、空間光変調器２４の制御とミラー２７の回動制御を行うことで定着処理を行ったが、本発明はこれに限定されず、図６（ａ）および（ｂ）に示すように、空間光変調器２４と絞り用の第３レンズ２６を光路上から退避させることで、定着処理を行うようにしてもよい。ここで、図６は、前記実施形態の一部を変更したものであるため、前記実施形態と同様の構成要素については、同一符号を付し、その説明を省略する。また、図６では、図５と同様に、光学系２からハーフミラー２５、第４レンズ２８および読取装置２９を取り除いている。
【００８１】
具体的に、図６（ａ）および（ｂ）に示す形態では、空間光変調器２４と第３レンズ２６とを光路上から退避可能に支持する移動装置９が設けられている。なお、この場合、制御装置３は、定着工程（図４のステップＳ４）において、移動装置９によって空間光変調器２４と第３レンズ２６とを光路上から退避させる制御を実行すればよい。これによれば、定着処理において、前記実施形態のように空間光変調器２４の制御やミラー２７の回動制御をしなくても、移動装置９を制御するだけで、第２レンズ２３で平行な光束に変換されたレーザ光は、情報が入力されず、かつ、絞られずに、そのままミラー２７で反射されてセル１３Ａ全体に照射される。したがって、その制御を容易にすることができる。
【００８２】
前記実施形態では、ホログラフィック記録媒体１を矩形状に形成したが、本発明はこれに限定されず、例えば円盤状に形成してもよい。また、セルの配置は、前記実施形態のような升目状の配置に限らず、例えばホログラフィック記録媒体が円盤状の場合には、螺旋状や同心円状などにセルを配列してもよい。また、セルの形状は、矩形に限らず、例えば円状や多角形状などであってもよい。
【００８３】
前記実施形態では、仕切部を基板１１とは別に設けられる仕切部材１２としたが、本発明はこれに限定されず、仕切部を一方の基板と一体に形成してもよい。
前記実施形態では、ミラー２７を設けたが、本発明はこれに限定されず、ミラー２７は無くてもよい。すなわち、前記実施形態における各部品２１〜２６の配列方向がホログラフィック記録媒体１と直交するように、各部品２１〜２６，２８，２９を配設してもよい。なお、この場合は、位置決め機構７によって、セル１３Ａに照射するレーザスポットの位置を移動させればよい。
【００８４】
前記実施形態では、ミラー２７の角度を変化させることで１つのセル内に情報を多重に記録したが、記録方式はこれに限定されず、例えばシフト多重、角度多重、位相コード多重など公知の記録方式を任意に採用することができる。
前記実施形態では、情報入力手段として空間光変調器２４を採用したが、本発明はこれに限定されず、例えばマトリクス状に配置される複数の微小なミラーを備えたＤＭＤ素子を採用してもよい。
【００８５】
なお、前記実施形態に係る記録・定着は、１つのセルに対して行ってもよいし、複数のセルの全てまたは一部に対して行ってもよい。
【図面の簡単な説明】
【００８６】
【図１】本実施形態に係るホログラフィック記録媒体を示す分解斜視図（ａ）と、図１（ａ）のＸ−Ｘ断面図（ｂ）である。
【図２】本実施形態に係るホログラフィック情報記録装置を示す断面図（ａ）と、ホログラフィック情報記録装置によって記録・定着されるホログラフィック記録媒体を示す平面図（ｂ）である。
【図３】制御装置の構成を示すブロック図である。
【図４】制御装置の動作を示すフローチャートである。
【図５】定着用の光源を別に設けた形態を示す図であり、記録時の状態を示す断面図（ａ）と、定着時の状態を示す断面図（ｂ）である。
【図６】定着工程において空間光変調器と第３レンズを光路上から退避させる形態を示す図であり、記録時の状態を示す断面図（ａ）と、定着時の状態を示す断面図（ｂ）である。
【符号の説明】
【００８７】
１      ホログラフィック記録媒体
３      制御装置
６      マスク
７      位置決め機構
１２    仕切部材
１２ｂ  仕切部
１３    記録層
１３Ａ，１３Ｂ  セル
２１    レーザ光源
２４    空間光変調器
２９    読取装置
３１    セル選択手段
３２    位置決め手段
３３    記録手段
３４    定着手段
３５    ベリファイ手段
３６    記録完了判断手段
３７    記録装置
６１    開口部
ＨＭ    ホログラフィック情報記録装置
【図１】
2009145462.tif 000003
【図２】
2009145462.tif 000004
【図３】
2009145462.tif 000005
【図４】
2009145462.tif 000006
【図５】
2009145462.tif 000007
【図６】
2009145462.tif 000008